(57)【要約】【課題】画像データを記憶手段に記憶して管理する画像処理方法、画像記憶装置、画像処理装置、画像形成装置に関し、記憶手段に記憶しておいた画像データを再利用する際の使い勝手を向上させることができる画像処理方法、画像記憶装置、画像処理装置、画像形成装置を提供することを目的とする。【解決手段】本発明は、画像データを記憶手段に記憶する画像処理方法であって、画像データと、前記画像データに対して行なわれる処理に関するデータとを互いに関連付けて前記記憶手段に記憶させることを特徴とする。【選択図】図６
2007104639.tif 000002
【特許請求の範囲】
【請求項１】
画像データを記憶手段に記憶する画像処理方法であって、
前記画像データと、前記画像データに対して行なわれる処理に関するデータとを互いに関連付けて前記記憶手段に記憶させることを特徴とする画像処理方法。
【請求項２】
前記処理に関するデータは、記憶後、変更できない処理に関するデータを含むことを特徴とする請求項１記載の画像処理方法。
【請求項３】
前記記憶後、変更できない処理に関するデータは、画像読取時に読み取られた画像データに対して実行される処理であることを特徴とする請求項２記載の画像処理方法。
【請求項４】
前記記憶後、変更できない処理に関するデータは、原稿色、原稿種類、自動濃度補正のＯＮ／ＯＦＦ、原稿サイズのうち少なくとも一つを含むことを特徴とする請求項２又は３記載の画像処理方法。
【請求項５】
前記処理に関するデータは、記憶後、変更できる処理に関するデータを含むことを特徴とする請求項１乃至４のいずれか一項記載の画像処理方法。
【請求項６】
前記記憶後、変更できる処理に関するデータは、読み取られた画像データに対して実行される処理であることを特徴とする請求項５記載の画像処理方法。
【請求項７】
前記記憶後、変更できる処理に関するデータは、カラーモード、シャープネス、濃度調整の調整量、解像度、画像データの階調数のうち少なくとも一つを含むことを特徴とする請求項５又は６記載の画像処理方法。
【請求項８】
前記記憶手段に記憶された画像データから所望の画像データを選択し、選択された画像データの書誌情報に基づいて画像処理を行なうことを特徴とする請求項１乃至７のいずれか一項記載の画像処理方法。
【請求項９】
画像データを記憶手段に記憶して管理する画像形成装置であって、
前記画像データと、前記画像データに対して行なわれる処理に関するデータとを互いに関連付けて前記記憶手段に記憶させる制御手段を有することを特徴とする画像形成装置。
【請求項１０】
前記制御手段は、前記記憶手段に記憶された画像データから所望の画像データを選択し、選択された画像データの書誌情報に基づいて画像処理を行なうことを特徴とする請求項９記載の画像形成装置。
【請求項１１】
記憶手段に記憶された画像データから所望の画像データを選択する選択手段と、
上記記憶手段に上記選択された画像データに関連付けて記録された処理に関するデータを表示すると共に、表示した処理に関するデータに基づいて出力設定の変更を行う設定変更手段とを有することを特徴とする画像処理装置。
【発明の詳細な説明】
【技術分野】
【０００１】
本発明は画像処理方法、画像記憶装置、画像処理装置、画像形成装置に係り、特に、画像データを記憶手段に記憶して管理する画像処理方法、画像記憶装置、画像処理装置、画像形成装置に関する。
【背景技術】
【０００２】
原稿を読取って画像データを出力する原稿読み取り手段と、画像データを可視化する画像可視化手段とを備えたデジタル複写機等の画像処理装置であって、更に、画像データを半恒久的に記憶する不揮発性画像記憶手段とを備え、不揮発性画像記憶手段に記憶しておいた画像データを、後で可視化に再利用することができる画像処理装置が知られている。
【０００３】
また、画像データのみならず、パスワードとジョブデータとを組み合わせて記憶手段に記憶する画像処理装置が提案されている（特許文献１参照）。
【０００４】
なお、ジョブデータは、画像の何ページから何ページまでを何部印刷するか、用紙サイズはどれか、カラー印刷かそれともモノクロ印刷か、用紙に穴あけを行うか、用紙にステイプルを行うか、画像形成後の用紙を自動で折り畳むか、複数の画像を１枚の用紙に割り付けて印刷するか（N in 1、面付け）などの動作を指定するデータである。
【特許文献１】特開２００４−２７４５５６号公報
【発明の開示】
【発明が解決しようとする課題】
【０００５】
しかるに、従来の画像処理装置は、不揮発性画像記憶手段に記憶しておいた画像データを、後に再利用する際の操作についてまで検討されておらず、ユーザにとっては、同じような操作手順をその度毎に行う必要があり、手間がかかり、非効率的であり、使い勝手の悪いものであるという問題があった。
【０００６】
また、特許文献１のパスワードとジョブデータとの組み合わせを前記記憶手段に記憶する装置では、同一条件の出力、即ち、再出力の使い勝手は向上するものの、再利用の際の用紙サイズ変更や、カラー印刷／モノクロ印刷の変更等が考慮されておらず、依然として使い勝手の悪いものであった。
【０００７】
本発明は上記の点に鑑みてなされたもので、記憶手段に記憶しておいた画像データを再利用する際の使い勝手を向上させることができる画像処理方法、画像記憶装置、画像処理装置、画像形成装置を提供することを目的とする。
【課題を解決するための手段】
【０００８】
本発明は、画像データを記憶手段に記憶する画像処理方法であって、画像データと、画像データに対して行なわれる処理に関するデータとを互いに関連付けて記憶手段に記憶させることを特徴とする。
【０００９】
処理に関するデータは、記憶後、変更できない処理に関するデータを含むことを特徴とする。記憶後、変更できない処理に関するデータは、画像読取時に読み取られた画像データに対して実行される処理であることを特徴とする。記憶後、変更できない処理に関するデータは、原稿色、原稿種類、自動濃度補正のＯＮ／ＯＦＦ、原稿サイズのうち少なくとも一つを含むことを特徴とする。
【００１０】
処理に関するデータは、記憶後、変更できる処理に関するデータを含むことを特徴とする。記憶後、変更できる処理に関するデータは、読み取られた画像データに対して実行される処理であることを特徴とする。記憶後、変更できる処理に関するデータは、カラーモード、シャープネス、濃度調整の調整量、解像度、画像データの階調数のうち少なくとも一つを含むことを特徴とする。
【発明の効果】
【００１１】
本発明によれば、画像データと、画像データに対して行なわれる処理に関するデータとを互いに関連付けて記憶手段に記憶させておき、画像読取時に記憶手段に記憶された画像データを参照して、必要な書誌情報を取得することにより、初期値を活用することができ、無駄な設定操作を省略することができるようになり、使い勝手を向上させることができる。
【発明を実施するための最良の形態】
【００１２】
〔システム構成〕
図１に本発明の一実施例のシステム構成図を示す。
【００１３】
本実施例の画像処理システム１は、画像形成装置１０とパーソナルコンピュータ（ＰＣ；Personal  Computer）２０とがネットワーク３０を介して通信可能な構成とされている。
【００１４】
画像形成装置１０は、いわゆる、複合型複写機であり、スキャナユニット１０１、ＩＰＵ(Image  Processing  Unit)−Ａユニット１０２、画像メモリユニット１０３、コントローラユニット１０４、プリンタユニット１０５、ＩＰＵ(Image  Processing  Unit)−Ｂユニット１０６、ストレージユニット１０７、ＩＰＵ(Image  Processing  Unit)−Ｃユニット１０８、ＤＳＰ(Digital  Signal  Processor)ユニット１０９、ネットワークＩ／Ｆ回路１１１、記録メディア１１２、メディアＩ／Ｆ回路１１３、操作表示ユニット１１４から構成されている。
【００１５】
スキャナユニット１０１は、原稿を読み取って画像データを出力するユニットである。スキャナユニット１０１で読み取られた画像データは、ＩＰＵ−Ａユニット１０２に供給される。
【００１６】
ＩＰＵ−Ａユニット１０２は、スキャナユニット１０１が出力した画像データにスキャナユニット１０１の特性や原稿に合った所定の画像処理を施すユニットである。
【００１７】
また、画像メモリユニット１０３は、画像データを一時的に記憶する揮発性メモリで、例えば、Ｄ−ＲＡＭ(Dynamic-Random  Access  Memory)等で構成され、例えば、ＩＰＵ−Ａユニット１０２により画像処理が施された画像データが、コントローラユニット１０４を経由して入力され、記憶される。
【００１８】
一方、プリンタユニット１０５は、入力された画像データを所定の用紙に記録して可視化するユニットである。ここで、画像データは、例えば、画像メモリユニット１０３に記憶されていた画像データが、コントローラユニット１０４、ＩＰＵ−Ｂユニット１０６を経由して入力される。なお、ＩＰＵ−Ｂユニット１０６は、プリンタユニット１０５の特性に合った所定の画像処理を施すユニットである。
【００１９】
また、ストレージユニット１０７は、データを半恒久的に記憶する不揮発性記憶装置、例えば、ＨＤＤ(Hard  Disk  Drive)等で構成されており、例えば、一時的に画像メモリユニット１０３に記憶された画像データを半恒久的に記憶したり、半恒久的に記憶した画像データを画像メモリユニット１０３等に出力したりする。
【００２０】
また、ＩＰＵ−Ｃユニット１０８は、画像メモリユニット１０３に記憶されていた画像データに所定の画像処理を施すユニットで、画像処理が施された画像データは、再び、画像メモリユニット１０３に記憶される。
【００２１】
また、ＤＳＰユニット１０９は、プログラムにより書換え可能な画像処理を、画像メモリユニット１０３に記憶されていた画像データに施すユニットで、画像処理が施された画像データは、再び、画像メモリユニット１０３に記憶される。
【００２２】
また、画像処理装置１０、ネットワーク３０とネットワークＩ／Ｆ回路１１１を介して接続されており、ネットワーク３０には、例えば、ＰＣ２０等の別の装置も接続されている。各装置のそれぞれには、予めネットワーク３０上のアドレス（たとえばＩＰアドレス）が設定されており、各装置はこのアドレスによって識別され、ネットワーク３０に接続された他の装置との通信を行う。
【００２３】
また、画像処理装置１０は、記録メディア１１２を挿入可能な記録メディアＩ／Ｆ回路１１３を備えており、例えば、記録メディア１１２と画像メモリユニット１０３との間で、画像データの転送等が可能になっている。
【００２４】
また、操作表示ユニット１１４は、各種モードの選択肢や設定状態等を表示する表示部と表示部の押下位置を検出する検出部が一体となったＴＰＤ(Touch  Panel  Display)を有し、画像処理装置１０の動作設定に使用される。
【００２５】
また、コントローラユニット１０４は、ＣＰＵやメモリ等で構成されるマイクロコンピュータシステムであり、プログラムにしたがって、上述した各ユニットに指示を与え、画像処理装置全体を制御している。
【００２６】
〔要部詳細〕
次に画像処理装置１０の要部の詳細例を説明する。
【００２７】
図２はスキャナユニット１０１及びＩＰＵ−Ａユニット１０２のブロック構成図を示す。
【００２８】
スキャナユニット１０１は、原稿からの光をＲＧＢ(赤緑青)の３色に色分解した後、光電変換して３種類のアナログ画像信号を出力するＣＣＤ２０１と、ＣＣＤ２０１が出力する画像信号をデジタル信号に変換するＡ／Ｄ変換回路２０２、Ａ／Ｄ変換回路２０２が出力する画像信号に、ＣＣＤ２０１内部の受光素子の感度むら補正等を行なうシェーディング回路２０３等で構成されており、原稿を読み取って画像データとして出力するための基本的な処理を行なう。
【００２９】
一方、ＩＰＵ−Ａユニット１０２は、入力された画像データに基づいて原稿の地肌信号レベルを検出しそれに応じた地飛ばし処理を行なうＡＥ(Automatic  Exposure)回路２０４、上述の操作表示ユニット１１４で指定された原稿種類に応じて画像データを平滑化したりエッジ強調したりするフィルタ回路２０５、同じく原稿種類に応じて画像データの色味を調整し原稿種類に依らない統一した色味に変換する色補正回路２０６、および、画像データの階調特性を整えるγ補正回路２０７等で構成されており、主に原稿に応じた画像処理を行なう。
【００３０】
図３はＩＰＵ−Ｂユニット１０６およびプリンタユニット１０５のブロック構成図を示す。
【００３１】
ＩＰＵ−Ｂユニット１０６は、プリンタユニット１０５の階調特性に応じて画像データを変換するγ補正回路２１１、画像データに応じて擬似的な階調表現を実現する階調処理回路２１２等で構成されており、プリンタユニット１０５の特性に合わせた補正が行なわれる。
【００３２】
また、プリンタユニット１０５は、感光ドラム２１５、及び、駆動信号に応じて感光ドラム２１５にレーザー光を照射するＬＤ(Laser  Diode)回路２１３、画像データを前記駆動信号に変換するドライバ回路２１４等で構成されており、画像データを可視化するための基本的な処理が行なわれる。
【００３３】
図４はストレージユニット１０７のブロック構成図を示す。
【００３４】
ストレージユニット１０７は、入力された画像データにＪＰＥＧやＪＰＥＧ２０００等の圧縮処理を施す圧縮回路２２１、圧縮された画像データを逆に伸張する伸張回路２２２、ＨＤＤ(Hard  Disk  Drive)２２３、および圧縮回路２２１が圧縮した画像データのＨＤＤ２２３への書き込みや圧縮した画像データのＨＤＤ２２３からの読み出しを制御するＨＤＣ(Hard  Disk  Controller)２２４等で構成されている。
【００３５】
図５はＩＰＵ−Ｃユニット１０８のブロック構成図を示す。
【００３６】
ＩＰＵ−Ｃユニット１０８は、好みに応じて画像データを平滑化したりエッジ強調したりするフィルタ回路２３１、同じく好みに応じてカラー画像を白黒画像に変換したり、出力先、即ち、画像データの宛先がプリンタユニット１０５かＰＣ２０か等に応じて画像データを色補正する色補正回路２３２を有する。
【００３７】
また、ＩＰＵ−Ｃユニット１０８は、出力画像の仕様、即ち、宛先がプリンタユニット１０５等の場合の変倍率や、宛先がＰＣ２０等の場合の解像度に応じて、画像データを拡大縮小(解像度)変換する変倍回路２３４、宛先がＰＣ２０等の場合、即ち、プリンタユニット１０５のようにγ補正回路２１１や階調処理回路２１２等を専用で持たない宛先の場合に、適宜、使用されるγ補正回路２４４および階調処理回路２４５等も有している。
【００３８】
次に本発明に係わるＨＤＤ２２３の蓄積されるデータ構造について説明する。
【００３９】
図６はＨＤＤ２２３のデータ構成図を示す。
【００４０】
上述したようにＨＤＤ２２３には、圧縮処理された画像データが書き込まれ蓄積されるが、各画像データ３０１にはその属性を示す書誌情報３０２も付加されている。
【００４１】
図７は書誌情報を説明するための図を示す。図７（Ａ）は画像蓄積時の書誌情報、図７（Ｂ）は画像可視化時の書誌情報を示す。
【００４２】
書誌情報は、図７（Ａ）に示す画像データを蓄積した時の条件を示す情報及び図７（Ｂ）に示す画像データを可視化した時の条件を示す情報を含む。
【００４３】
画像データを蓄積した時の条件を示す情報は、図７（Ａ）に示すように原稿を読み取った際に指定された原稿色(例えばカラー原稿か、白黒原稿か等)、原稿種類(例えば文字原稿か、文字・写真の混在原稿か、印刷写真原稿か、印画紙写真原稿か等)、自動濃度補正のＯＮ／ＯＦＦ、原稿サイズ等であり、画像データを蓄積した後で変更できない条件である。
【００４４】
これらの条件に応じた画像処理は、原稿を読み取って画像データに蓄積するまでの間、ＩＰＵ−Ａユニット１０２等で実行されるため、蓄積した後に元に戻す事は困難である。
【００４５】
一方、画像データを可視化した時の条件を示す情報は、図７（Ｂ）に示すように画像データの出力先(例えばプリンタユニット１０５か、ＰＣ２０か等)、画像データがカラーの場合の出力色(カラーか、白黒か)、好みに応じた平滑化やエッジ強調強度調整情報(シャープネス)や画像濃度濃淡調整情報(濃度調整)、宛先がプリンタユニット１０５等の場合の変倍率や出力紙サイズ情報、宛先がＰＣ２０等の場合の解像度情報や階調数(２値か、多値か)等であり、画像データの蓄積後も変更できなる条件である。これらの条件に応じた画像処理は、蓄積後の画像データに対してＩＰＵ−Ｂユニット１０６やＩＰＵ−Ｃユニット１０８で実行されるため、蓄積された画像データには影響を与えない。
【００４６】
なお、図６に示したデータ構成例では、データはユーザ毎に管理されている。これはセキュリティを維持管理するためで、１ユーザが別のユーザのデータにアクセスできない構成とされている。
【００４７】
各ユーザには認証用の記録メディアが配布されており、各ユーザは該記録メディア１１２を上述の画像記録メディアＩ／Ｆ回路１１３に装着して使用する。これによりユーザ認証され、対応する画像データにアクセスできるようになっている。
【００４８】
次に本発明に係わる操作表示ユニット１１４のＴＰＤ表示画面例を図８〜図１２に示し、説明する。なお、図８〜図１２において、ハッチング部分が選択、あるいは、設定されている機能を示している。
【００４９】
図８（Ａ）は、画像処理装置電源投入後等の標準的なＴＰＤ表示画面である。
【００５０】
同図において、５０１は画像入力元選択領域であり、「スキャナ」はスキャナユニットによる原稿の読み取りを行なう場合、「呼出し」はストレージユニット１０７に蓄積された画像データを呼出す場合に選ばれる。
【００５１】
また、５０２は画像出力先選択領域であり、「紙出力」はプリンタユニットにより画像データを用紙に記録する場合、「電子出力」は画像データをＰＣ等に送信する場合に選ばれる。また、「蓄積」は画像データをストレージユニット１０７に蓄積する場合に選ばれる。
【００５２】
図８(Ａ)では、スキャナユニットによる原稿の読み取りを行なって、プリンタユニット１０５により用紙に記録する、所謂コピーのモードが選ばれている。
【００５３】
また、ストレージユニット１０７へのアクセスはユーザ認証されないと許可されないが、同図はユーザ認証されている場合の例である。なお、ユーザ認証されていない場合は、図８（Ｂ）に斜め格子状のハッチングで示す「呼出し」および「蓄積」表示部分の表示が、選択が可能な時の表示とは異なる表示、例えば、半輝度表示になり選択できないようになる。
【００５４】
さらに、図８（Ａ）において、５０３は原稿読取り条件設定領域であり、読み取る原稿の色、例えば、カラーか、白黒かの設定、原稿種類、すなわち、文字原稿か、文字・写真混在原稿か、印刷写真原稿か、印画紙写真原稿かの設定、自動濃度補正のＯＮ／ＯＦＦ、原稿サイズを設定する領域である。なお、これらの選択が可能なのは、画像入力元選択領域５０１の選択が「スキャナ」の場合であり、さらに、「呼出し」が選択されると、図９(Ａ)に斜線のハッチングで示す選ばれた画像データの原稿読取り条件が全輝度表示となり、図９（Ａ）に斜め格子状のハッチングで示すその他の画像データの原稿読取り条件は選ばれた画像データの原稿読取り条件とは異なる表示、例えば、半輝度表示になる。なお、半輝度表示の条件は、選択できない。
【００５５】
また、図８（Ａ）において、５０４は画像可視化条件設定領域であり、その表示内容は上述の出力先選択領域５０２の状況に応じて異なる。例えば、図８（Ａ)では、「紙出力」が選択されているため、紙出力時のカラーモード、すなわち、カラーか、白黒かの設定、シャープネスおよび濃度調整の調整量、変倍率、用紙サイズが設定できる。
【００５６】
また、図８(Ａ)に示す状態では、画像出力先として「蓄積」も同時に選ぶことができる。すなわち、コピーしながら画像データの蓄積も可能であり、このときのＴＰＤの表示状態を図９（Ｂ）に示す。
【００５７】
なお、「蓄積」時には、可視化を行わないので、画像可視化条件を設定する必要はないので、画像可視化条件設定領域５０４には「紙出力」の条件、例えば、出力色、シャープネス、濃度調整、変倍率、用紙サイズの情報が表示される。
【００５８】
図１０（Ａ）は出力先選択領域５０２の「電子出力」が選択された場合の表示例を示している。この場合、画像可視化条件設定領域５０４には、電子出力時のカラーモード(カラーか、白黒か)、シャープネス及び濃度調整の調整量、解像度、並びに、画像データの階調数、すなわち、２５６階調か２値かを設定するための情報が表示される。
【００５９】
なお、ここでは詳細な説明を省略するが、ユーザが「電子出力」を選択した場合はネットワーク３０上の出力先を特定しなければならない。このため、操作表示ユニット１１４には、ネットワーク３０に接続されている装置のリストが表示可能とされており、ユーザが装置リストからネットワーク３０上の出力先を選択する等の操作が行なわれる。
【００６０】
図１０（Ｂ）は出力先選択領域５０２で「蓄積」が単独で選択された場合の表示例を示している。
【００６１】
この場合、画像可視化条件設定領域５０４は意味をなさないので、図１０（Ｂ）の破線囲んだ画像可視化条件設定領域５０４の全ての選択肢が半輝度表示になり選択できなくなる。
【００６２】
次に、画像入力元選択領域５０１の「呼出し」が選択された場合を説明する。
【００６３】
ユーザが「呼出し」を選択すると、始めに、ストレージユニット１０７に蓄積された画像データの一覧が、例えば、図１１に示すように表示され、所望の画像を選択することができるようになる。
【００６４】
蓄積画像選択領域５６１には、ストレージユニット１０７に蓄積された画像データのサムネール画像が一覧表示される。また蓄積画像選択領域５６１に表示し切れなかったサムネール画像は、スクロールキー表示部分５６２，５６３を操作することで順次表示される。なお、一覧表示される画像は、各ユーザがアクセス可能な画像に限られことは勿論である。また、ユーザによる画像データの選択は、ユーザが対応するサムネール画像をタッチすることで実現される。
【００６５】
次にユーザが所望の画像を選択すると、図９（Ａ）に示すような画面が表示される。原稿読取り条件設定領域５０３には、画像データに対応する書誌情報から抽出した該画像を蓄積した時の条件が表示される。また、画像可視化条件設定領域５０４には、書誌情報から抽出した画像の画像可視化条件が表示され、出力先選択領域５０２にも書誌情報から抽出した出力先が表示される。
【００６６】
なお、画像出力先選択領域５０２で「蓄積」が単独選択された画像データは、画像可視化条件が設定される必要はないが、本実施例では後での利用を考慮して、例えば、図９（Ａ）に示すような標準的な画像可視化条件が自動的に選ばれ表示される。
【００６７】
また、画像入力元選択領域５０１で「呼出し」で選択設定された画像可視化条件は、条件が確定、即ち、画像出力先選択領域５０２で「紙出力」や「電子出力」が操作されると、画像データの書誌情報に上書きされる。
【００６８】
これにより、次に利用される時は、間近に選択された画像可視化条件が画像データの選択と共に読み出されるので、シャープネスや濃度調整等を再度調整しなくても良くなり、画像データを再利用する際の使い勝手を向上させることができる。
【００６９】
例えば、図９（Ａ）のような状態から出力色が白黒に変更されたとする。この場合、図１２に示すような画面が表示される。
【００７０】
そして、画像出力先選択領域５０２で「紙出力」が選択されると、設定に応じた動作を実施すると共に、ストレージユニット１０７に記憶されている画像可視化条件の書誌情報を、この時の条件に書き換える。
【００７１】
このため、次回、サムネール画像一覧から当該画像が選択されると、図１２に示すような最新の画面が表示され、再度、白黒に変更するような操作を行わなくて済む。
【００７２】
〔処理〕
次にコントローラユニット１０４による画像記憶時及び蓄積画像出力時の処理について説明する。
【００７３】
図１３はコントローラユニット１０４の画像記憶時の処理フローチャートを示す。
【００７４】
コントローラユニット１０４はステップＳ１−０でユーザのＩＤが認証され、ステップＳ１−１でユーザによって画像取得操作が行なわれると、ステップＳ１−２で画像取得時に設定されている書誌情報を取得する。コントローラユニット１０４はステップＳ１−３で画像データが取得されると、ステップＳ１−４で取得した画像データとそのとき設定された書誌情報とを組み合わせて、記憶する。
【００７５】
なお、この書誌情報は画像を取得した時、すなわち、画像を蓄積した時の条件であるため、後からの変更は許可されない。
【００７６】
以上により、図６に示すようなデータ構成で画像データ及びその書誌情報がストレージユニット１０７を構成するＨＤＤ２２３に記憶される。
【００７７】
次に蓄積画像出力時の処理の動作を説明する。
【００７８】
図１４はコントローラユニット１０４の蓄積画像出力時の処理フローチャートを示す。
【００７９】
ステップＳ２−１でユーザのＩＤが認証され、ステップＳ２−２で呼出し選択操作が行なわれると、ステップＳ２−３で対応するユーザの書誌情報及び画像データをストレージユニット１０７から取得し、図１１に示すように一覧表示する。
【００８０】
コントローラユニット１０４は、ステップＳ２−５で表示された画像から所望の画像が選択されると、ステップＳ２−６で、選択された画像に設定された書誌情報を図９（Ａ）のように表示して必要な訂正入力を受け付けた後、ステップＳ２−７で、例えば、ＩＰＵ−Ｂユニット１０６に画像読取処理を実行させ、プリンタユニット１０５に画像出力する。なお、ステップＳ２−６で訂正された書誌情報はストレージユニット１０７に上書き保存される。
【００８１】
また、この上書きで書き換えられる書誌情報は、蓄積後も変更可能な、即ち、画像を出力する時、すなわち、画像を可視化する時の条件であり、画像を取得した時、すなわち、画像を蓄積した時の条件はそのまま維持される。
【００８２】
〔効果〕
画像データを記憶手段に記憶する画像処理方法であって、前記画像データと、前記画像データに対して行なわれる処理に関するデータとを互いに関連付けて前記記憶手段に記憶させることを特徴とする請求項１乃至８の画像処理方法においては、画像データの再度の利用に際して、対応する処理に関するデータの参照を容易に実現できるので、これを参考に処理の設定することで使い勝手を向上させることができた。
【００８３】
また、画像データを記憶手段に記憶する画像記憶装置であって、前記画像データと、前記画像データに対して行なわれる処理に関するデータとを互いに関連付けて前記記憶手段に記憶させる制御手段を有することを特徴とする請求項９乃至１３の画像処理装置においては、画像データの再度の利用に際して、対応する処理に関するデータの参照を容易に実現できるので、これを参考に処理の設定することで使い勝手を向上させることができた。
【００８４】
また、記憶手段に記憶された画像データから所望の画像データを選択する選択手段と、上記記憶手段に上記選択された画像データに関連付けて記録された処理に関するデータを表示すると共に、表示した処理に関するデータに基づいて出力設定の変更を行う設定変更手段を有することを特徴とする請求項１４画像処理装置においては、画像データの再度の利用に際して、対応する処理に関するデータを元に処理の設定を変更できるので、使い勝手を向上させることができた。
【００８５】
なお、蓄積後も変更可能な、画像を出力した時、すなわち、画像を可視化した時の条件を随時書き換えて、間近に選択された条件を記憶するようにすれば、より使い勝手を向上させることができる。
【００８６】
〔その他〕
なお、本実施例では、複合複写機を例に説明を行なったが、本発明の適用分野は複合複写機に限定されるものではなく、例えば、スキャナ、プリンタなどが接続されたパーソナルコンピュータシステムなどにも適用可能である。
【図面の簡単な説明】
【００８７】
【図１】本発明の一実施例のシステム構成図である。
【図２】スキャナユニット１０１及びＩＰＵ−Ａユニット１０２のブロック構成図である。
【図３】ＩＰＵ−Ｂユニット１０６及びプリンタユニット１０５のブロック構成図である。
【図４】ストレージユニット１０７のブロック構成図である。
【図５】ＩＰＵ−Ｃユニット１０８のブロック構成図である。
【図６】ＨＤＤ２２３のデータ構成図である。
【図７】書誌情報を説明するための図である。
【図８】操作表示ユニット１１４のＴＰＤ表示画面例を示す図である。
【図９】操作表示ユニット１１４のＴＰＤ表示画面例を示す図である。
【図１０】操作表示ユニット１１４のＴＰＤ表示画面例を示す図である。
【図１１】操作表示ユニット１１４のＴＰＤ表示画面例を示す図である。
【図１２】操作表示ユニット１１４のＴＰＤ表示画面例を示す図である。
【図１３】コントローラユニット１０４の画像記憶時の処理フローチャートである。
【図１４】コントローラユニット１０４の書誌情報設定時の処理フローチャートである。
【符号の説明】
【００８８】
１  システム
１０  画像形成装置、２０  パーソナルコンピュータ、３０  ネットワーク
１０１  スキャナユニット、１０２  ＩＰＵ(Image  Processing  Unit)−Ａユニット
１０３  画像メモリユニット、１０４  コントローラユニット
１０５  プリンタユニット、１０６  ＩＰＵ(Image  Processing  Unit)−Ｂユニット
１０７  ストレージユニット、１０８  ＩＰＵ(Image  Processing  Unit)−Ｃユニット
１０９  ＤＳＰ(Digital  Signal  Processor)ユニット
１１１  ネットワークＩ／Ｆ回路
１１２  記録メディア、１１３  メディアＩ／Ｆ回路、１１４  操作表示ユニット
【図１】
2007104639.tif 000003
【図２】
2007104639.tif 000004
【図３】
2007104639.tif 000005
【図４】
2007104639.tif 000006
【図５】
2007104639.tif 000007
【図６】
2007104639.tif 000008
【図７】
2007104639.tif 000009
【図８】
2007104639.tif 000010
【図９】
2007104639.tif 000011
【図１１】
2007104639.tif 000012
【図１２】
2007104639.tif 000013
【図１３】
2007104639.tif 000014
【図１４】
2007104639.tif 000015
【図１０】
2007104639.tif 000016